【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
ネットワークに接続され、情報処理装置との間で通信可能な通信装置であって、
前記情報処理装置からの接続要求を受信する受信手段と、
前記接続要求に基づいて前記情報処理装置との接続を制御する制御手段と、
を備え、
前記接続要求は、第１の接続方式による接続要求と、第１の接続方式と異なる前記第２の接続方式による接続要求と、を有し、
前記制御手段は、
（１）他の情報処理装置と接続されていない場合に、前記受信手段が、前記情報処理装置から前記第１の接続方式又は前記第２の接続方式による接続要求を受信した場合、当該受信した接続方式による前記情報処理装置との接続を行い、
（２）前記第１の接続方式に基づき他の情報処理装置と接続されている場合に、前記受信手段が、前記情報処理装置から前記第１の接続方式による接続要求を受信した場合、前記第１の接続方式による前記情報処理装置との接続を行い、
（３）前記第１の接続方式に基づき他の情報処理装置と接続されている場合に、前記受信手段が、前記情報処理装置から前記第２の接続方式による接続要求を受信した場合、前記第２の接続方式による前記情報処理装置との接続を行わず、
（４）前記第２の接続方式に基づき他の情報処理装置と接続されている場合に、前記受信手段が、前記情報処理装置から前記第１の接続方式による接続要求を受信した場合、前記第２の接続方式による前記情報処理装置との接続を行わず、
（５）前記第２の接続方式に基づき他の情報処理装置と接続されている場合に、前記受信手段が、前記情報処理装置から前記第２の接続方式による接続要求を受信した場合、前記第１の接続方式による前記情報処理装置との接続を行い、
前記受信手段は、前記第１の接続方式又は前記第２の接続方式により前記情報処理装置と接続した後、前記情報処理装置から画像データを受信することを特徴とする通信装置。
【請求項２】
前記受信手段により受信した画像データに基づく画像を表示する表示手段をさらに有する請求項１に記載の通信装置。
【請求項３】
前記表示手段は、前記画像データに基づく画像を投影する投影手段であることを特徴とする請求項２に記載の通信装置。
【請求項４】
前記表示手段は、前記情報処理装置と前記通信装置との間で確立している接続が存在する場合、前記第１の接続方式及び前記第２の接続方式のうちの当該確立している接続の接続方式のみを、接続可能な接続方式の情報として表示する請求項２又は３に記載の通信装置。
【請求項５】
前記表示手段は、前記情報処理装置と前記通信装置との間で確立している接続が存在しない場合、前記第１の接続方式及び前記第２の接続方式を、接続可能な接続方式の情報として表示する請求項２〜４のいずれか１項に記載の通信装置。
【請求項６】
前記第１の接続方式及び前記第２の接続方式は、有線ＬＡＮによる接続及び無線ＬＡＮによる接続を含む請求項１〜５のいずれか１項に記載の通信装置。
【請求項７】
前記第２の接続方式は、前記通信装置と前記情報処理装置とを無線でダイレクトに接続する方式であることを特徴とする請求項１〜６のいずれか１項に記載の通信装置。
【請求項８】
ネットワークに接続され、情報処理装置との間で通信可能な通信装置の制御方法であって、
前記情報処理装置からの接続要求を受信する受信工程と、
前記接続要求に基づいて前記情報処理装置との接続を制御する制御工程と、
を有し、
前記接続要求は、第１の接続方式による接続要求と、第１の接続方式と異なる前記第２の接続方式による接続要求と、を有し、
前記制御工程では、
（１）他の情報処理装置と接続されていない場合に、前記受信工程において、前記情報処理装置から前記第１の接続方式又は前記第２の接続方式による接続要求を受信した場合、当該受信した接続方式による前記情報処理装置との接続を行い、
（２）前記第１の接続方式に基づき他の情報処理装置と接続されている場合に、前記受信工程において、前記情報処理装置から前記第１の接続方式による接続要求を受信した場合、前記第１の接続方式による前記情報処理装置との接続を行い、
（３）前記第１の接続方式に基づき他の情報処理装置と接続されている場合に、前記受信工程において、前記情報処理装置から前記第２の接続方式による接続要求を受信した場合、前記第２の接続方式による前記情報処理装置との接続を行わず、
（４）前記第２の接続方式に基づき他の情報処理装置と接続されている場合に、前記受信工程において、前記情報処理装置から前記第１の接続方式による接続要求を受信した場合、前記第２の接続方式による前記情報処理装置との接続を行わず、
（５）前記第２の接続方式に基づき他の情報処理装置と接続されている場合に、前記受信工程において、前記情報処理装置から前記第２の接続方式による接続要求を受信した場合、前記第１の接続方式による前記情報処理装置との接続を行い、
前記受信工程では、前記第１の接続方式又は前記第２の接続方式により前記情報処理装置と接続した後、前記情報処理装置から画像データを受信することを特徴とする通信装置の制御方法。
【請求項９】
コンピュータを、請求項１乃至７のいずれか１項に記載の通信装置の各手段として機能させるプログラム。
【請求項１０】
ネットワークにより互いに接続された情報処理装置及び通信装置からなる表示システムであって、
前記通信装置は、
前記情報処理装置からの接続要求を受信する受信手段と、
前記接続要求に基づいて前記情報処理装置との接続を制御する制御手段と、
を備え、
前記接続要求は、第１の接続方式による接続要求と、第１の接続方式と異なる前記第２の接続方式による接続要求と、を有し、
前記制御手段は、
（１）他の情報処理装置と接続されていない場合に、前記受信手段が、前記情報処理装置から前記第１の接続方式又は前記第２の接続方式による接続要求を受信した場合、当該受信した接続方式による前記情報処理装置との接続を行い、
（２）前記第１の接続方式に基づき他の情報処理装置と接続されている場合に、前記受信手段が、前記情報処理装置から前記第１の接続方式による接続要求を受信した場合、前記第１の接続方式による前記情報処理装置との接続を行い、
（３）前記第１の接続方式に基づき他の情報処理装置と接続されている場合に、前記受信手段が、前記情報処理装置から前記第２の接続方式による接続要求を受信した場合、前記第２の接続方式による前記情報処理装置との接続を行わず、
（４）前記第２の接続方式に基づき他の情報処理装置と接続されている場合に、前記受信手段が、前記情報処理装置から前記第１の接続方式による接続要求を受信した場合、前記第２の接続方式による前記情報処理装置との接続を行わず、
（５）前記第２の接続方式に基づき他の情報処理装置と接続されている場合に、前記受信手段が、前記情報処理装置から前記第２の接続方式による接続要求を受信した場合、前記第１の接続方式による前記情報処理装置との接続を行い、
前記受信手段は、前記第１の接続方式又は前記第２の接続方式により前記情報処理装置と接続した後、前記情報処理装置から画像データを受信し、
前記情報処理装置は、
接続要求を前記通信装置へ送信し、前記第１の接続方式又は前記第２の接続方式により前記通信装置に接続された後、前記通信装置に対し画像データを送信する送信手段を備える表示システム。
【手続補正２】
【補正対象書類名】明細書
【補正対象項目名】０００７
【補正方法】変更
【補正の内容】
【０００７】
本発明は、ネットワークに接続され、情報処理装置との間で通信可能な通信装置であって、
前記情報処理装置からの接続要求を受信する受信手段と、
前記接続要求に基づいて前記情報処理装置との接続を制御する制御手段と、
を備え、
前記接続要求は、第１の接続方式による接続要求と、第１の接続方式と異なる前記第２の接続方式による接続要求と、を有し、
前記制御手段は、
（１）他の情報処理装置と接続されていない場合に、前記受信手段が、前記情報処理装置から前記第１の接続方式又は前記第２の接続方式による接続要求を受信した場合、当該受信した接続方式による前記情報処理装置との接続を行い、
（２）前記第１の接続方式に基づき他の情報処理装置と接続されている場合に、前記受信手段が、前記情報処理装置から前記第１の接続方式による接続要求を受信した場合、前記第１の接続方式による前記情報処理装置との接続を行い、
（３）前記第１の接続方式に基づき他の情報処理装置と接続されている場合に、前記受信手段が、前記情報処理装置から前記第２の接続方式による接続要求を受信した場合、前記第２の接続方式による前記情報処理装置との接続を行わず、
（４）前記第２の接続方式に基づき他の情報処理装置と接続されている場合に、前記受
信手段が、前記情報処理装置から前記第１の接続方式による接続要求を受信した場合、前記第２の接続方式による前記情報処理装置との接続を行わず、
（５）前記第２の接続方式に基づき他の情報処理装置と接続されている場合に、前記受信手段が、前記情報処理装置から前記第２の接続方式による接続要求を受信した場合、前記第１の接続方式による前記情報処理装置との接続を行い、
前記受信手段は、前記第１の接続方式又は前記第２の接続方式により前記情報処理装置と接続した後、前記情報処理装置から画像データを受信することを特徴とする通信装置である。
【手続補正３】
【補正対象書類名】明細書
【補正対象項目名】０００８
【補正方法】変更
【補正の内容】
【０００８】
本発明は、ネットワークに接続され、情報処理装置との間で通信可能な通信装置の制御方法であって、
前記情報処理装置からの接続要求を受信する受信工程と、
前記接続要求に基づいて前記情報処理装置との接続を制御する制御工程と、
を有し、
前記接続要求は、第１の接続方式による接続要求と、第１の接続方式と異なる前記第２の接続方式による接続要求と、を有し、
前記制御工程では、
（１）他の情報処理装置と接続されていない場合に、前記受信工程において、前記情報処理装置から前記第１の接続方式又は前記第２の接続方式による接続要求を受信した場合、当該受信した接続方式による前記情報処理装置との接続を行い、
（２）前記第１の接続方式に基づき他の情報処理装置と接続されている場合に、前記受信工程において、前記情報処理装置から前記第１の接続方式による接続要求を受信した場合、前記第１の接続方式による前記情報処理装置との接続を行い、
（３）前記第１の接続方式に基づき他の情報処理装置と接続されている場合に、前記受信工程において、前記情報処理装置から前記第２の接続方式による接続要求を受信した場合、前記第２の接続方式による前記情報処理装置との接続を行わず、
（４）前記第２の接続方式に基づき他の情報処理装置と接続されている場合に、前記受信工程において、前記情報処理装置から前記第１の接続方式による接続要求を受信した場合、前記第２の接続方式による前記情報処理装置との接続を行わず、
（５）前記第２の接続方式に基づき他の情報処理装置と接続されている場合に、前記受信工程において、前記情報処理装置から前記第２の接続方式による接続要求を受信した場合、前記第１の接続方式による前記情報処理装置との接続を行い、
前記受信工程では、前記第１の接続方式又は前記第２の接続方式により前記情報処理装置と接続した後、前記情報処理装置から画像データを受信することを特徴とする通信装置の制御方法である。
【手続補正４】
【補正対象書類名】明細書
【補正対象項目名】０００９
【補正方法】変更
【補正の内容】
【０００９】
本発明は、ネットワークにより互いに接続された情報処理装置及び通信装置からなる表示システムであって、
前記通信装置は、
前記情報処理装置からの接続要求を受信する受信手段と、
前記接続要求に基づいて前記情報処理装置との接続を制御する制御手段と、
を備え、
前記接続要求は、第１の接続方式による接続要求と、第１の接続方式と異なる前記第２の接続方式による接続要求と、を有し、
前記制御手段は、
（１）他の情報処理装置と接続されていない場合に、前記受信手段が、前記情報処理装置から前記第１の接続方式又は前記第２の接続方式による接続要求を受信した場合、当該受信した接続方式による前記情報処理装置との接続を行い、
（２）前記第１の接続方式に基づき他の情報処理装置と接続されている場合に、前記受信手段が、前記情報処理装置から前記第１の接続方式による接続要求を受信した場合、前記第１の接続方式による前記情報処理装置との接続を行い、
（３）前記第１の接続方式に基づき他の情報処理装置と接続されている場合に、前記受信手段が、前記情報処理装置から前記第２の接続方式による接続要求を受信した場合、前記第２の接続方式による前記情報処理装置との接続を行わず、
（４）前記第２の接続方式に基づき他の情報処理装置と接続されている場合に、前記受信手段が、前記情報処理装置から前記第１の接続方式による接続要求を受信した場合、前記第２の接続方式による前記情報処理装置との接続を行わず、
（５）前記第２の接続方式に基づき他の情報処理装置と接続されている場合に、前記受信手段が、前記情報処理装置から前記第２の接続方式による接続要求を受信した場合、前記第１の接続方式による前記情報処理装置との接続を行い、
前記受信手段は、前記第１の接続方式又は前記第２の接続方式により前記情報処理装置と接続した後、前記情報処理装置から画像データを受信し、
前記情報処理装置は、
接続要求を前記通信装置へ送信し、前記第１の接続方式又は前記第２の接続方式により前記通信装置に接続された後、前記通信装置に対し画像データを送信する送信手段を備える表示システムである。